(57)【要約】【課題】正極用金属箔と負極塗工領域の短絡を簡単に防止しつつ、電極組立体が積層方向に長大化することを防止することができる蓄電装置を提供すること。【解決手段】二次電池の電極組立体１４において、正電極シート２１は、正極塗工領域２６ａと正極未塗工領域２６ｂとの境界である正極境界２６ｃを有し、この正極境界２６ｃは、正極第１縁部２１ａと正極タブ２４の先端部２４ａとの間に位置する。負電極シート３１において、負極第１縁部３１ａは正極境界２６ｃと正極第１縁部２１ａとの間に位置している。セパレータ１９は、正極塗工領域２６ａにおけるはみ出し領域Ｒと対向する部位に遮断部ＳＤを有する。また、正極塗工領域２６ａは、遮断部ＳＤと対向せず、かつ遮断部ＳＤよりも正極第２縁部２１ｂ側に負極塗工領域と対向する正極有効領域Ｔを有する。【選択図】図４
2014123454.tif 000002
【特許請求の範囲】
【請求項１】
正極用金属箔の正極第１縁部から突出する正極タブを有する正電極シートと、
負極用金属箔の負極第１縁部から突出する負極タブを有する負電極シートと、
前記正電極シートと前記負電極シートとの間に介在して前記正電極シートと前記負電極シートとを絶縁し、かつ複数の孔部を有するセパレータとを有し、
これらを複数積層した電極組立体を備える蓄電装置であって、
前記正電極シートは、該正電極シートの表面における前記正極第１縁部から、該正極第１縁部の対辺である正極第２縁部に至るまでの全面、及び前記正極タブにおける前記正極第１縁部側の一部に正極活物質の設けられた正極塗工領域と、
前記正極タブにおける前記正極活物質の設けられていない正極未塗工領域と、
前記正極塗工領域と前記正極未塗工領域との境界である正極境界とを有し、
前記正極境界は、前記正極第１縁部と前記正極タブの先端部との間に位置し、
前記負電極シートは、該負電極シートの表面に前記負極第１縁部、及び該負極第１縁部の対辺である負極第２縁部を含んで負極活物質の設けられた負極塗工領域を有し、
前記負極第１縁部、及び前記正極第１縁部は、前記電極組立体における同一縁部側に配置されており、
前記負極第１縁部が前記正極境界と前記正極第１縁部との間に位置しており、前記正極塗工領域において前記負極第１縁部の対向部と前記正極境界との間を前記正極塗工領域におけるはみ出し領域とすると、
前記セパレータは、少なくとも前記はみ出し領域と対向する部位に、前記孔部の一部又は全部を遮断した遮断部を有し、
前記正極塗工領域は、前記遮断部と対向せず、かつ前記遮断部よりも前記正極第２縁部側に前記負極塗工領域と対向する正極有効領域を有することを特徴とする蓄電装置。
【請求項２】
前記セパレータは、前記はみ出し領域と対向する部位が前記孔部の全部を遮断した遮断部である請求項１に記載の蓄電装置。
【請求項３】
前記正極有効領域は、前記負極塗工領域より小さい請求項１又は請求項２に記載の蓄電装置。
【請求項４】
前記遮断部は、前記正極タブを除いた前記正極第１縁部、前記正極第２縁部、及び前記正極第１縁部と前記正極第２縁部の両端を繋ぐ一対の正極第３縁部を囲む位置にも設けられている請求項１〜請求項３のうちいずれか一項に記載の蓄電装置。
【請求項５】
前記蓄電装置は二次電池である請求項１〜請求項４のうちいずれか一項に記載の蓄電装置。
【発明の詳細な説明】
【技術分野】
【０００１】
本発明は、正電極シートと、負電極シートと、セパレータとを有し、これらを複数積層して層状に形成してなる電極組立体を備える蓄電装置に関する。
【背景技術】
【０００２】
蓄電装置で用いられる電極組立体は、正電極シート及び負電極シートがセパレータに挟まれた状態で積層されて構成されている。例えば特許文献１の角型リチウムイオン二次電池においては、図６に示すように、短冊状負極（負電極シート）８０は、負極用金属箔８０ａの両面に負極活物質を設けた負極塗工領域８０ｂと、負極活物質の設けられていない負極未塗工用域８０ｃを有する。短冊状正極（正電極シート）８１は、短冊状負極８０よりも小さく、正極用金属箔８１ａの両面に正極活物質を設けた正極塗工領域８１ｂと、正極活物質の設けられていない正極未塗工領域８１ｃを有する。袋状セパレータ８２は短冊状負極８０よりも大きく、その袋状セパレータ８２内に短冊状正極８１が位置決めされている。
【先行技術文献】
【特許文献】
【０００３】
【特許文献１】特開平７−３０２６１６号公報
【発明の概要】
【発明が解決しようとする課題】
【０００４】
ところが、短冊状負極８０、短冊状正極８１、及び袋状セパレータ８２の積層方向において、短冊状正極８１の正極未塗工領域８１ｃに対し負極塗工領域８０ｂが袋状セパレータ８２を挟んで対向している。このため、上記積層方向に荷重が加わったとき、正極未塗工領域８１ｃと負極塗工領域８０ｂが短絡してしまう虞がある。この短絡を防止するため、正極未塗工領域８１ｃに保護テープ等を貼着することが考えられるが、保護テープを貼着する作業が煩わしく、また、保護テープの厚みだけ積層方向に長大化してしまう。
【０００５】
本発明は、正極用金属箔と負極塗工領域の短絡を簡単に防止しつつ、電極組立体が積層方向に長大化することを防止することができる蓄電装置を提供することにある。
【課題を解決するための手段】
【０００６】
上記問題点を解決するために、請求項１に記載の蓄電装置は、正極用金属箔の正極第１縁部から突出する正極タブを有する正電極シートと、負極用金属箔の負極第１縁部から突出する負極タブを有する負電極シートと、前記正電極シートと前記負電極シートとの間に介在して前記正電極シートと前記負電極シートとを絶縁し、かつ複数の孔部を有するセパレータとを有し、これらを複数積層した電極組立体を備える蓄電装置であって、前記正電極シートは、該正電極シートの表面における前記正極第１縁部から、該正極第１縁部の対辺である正極第２縁部に至るまでの全面、及び前記正極タブにおける前記正極第１縁部側の一部に正極活物質の設けられた正極塗工領域と、前記正極タブにおける前記正極活物質の設けられていない正極未塗工領域と、前記正極塗工領域と前記正極未塗工領域との境界である正極境界とを有し、前記正極境界は、前記正極第１縁部と前記正極タブの先端部との間に位置し、前記負電極シートは、該負電極シートの表面に前記負極第１縁部、及び該負極第１縁部の対辺である負極第２縁部を含んで負極活物質の設けられた負極塗工領域を有し、前記負極第１縁部、及び前記正極第１縁部は、前記電極組立体における同一縁部側に配置されており、前記負極第１縁部が前記正極境界と前記正極第１縁部との間に位置しており、前記正極塗工領域において前記負極第１縁部の対向部と前記正極境界との間を前記正極塗工領域におけるはみ出し領域とすると、前記セパレータは、少なくとも前記はみ出し領域と対向する部位に、前記孔部の一部又は全部を遮断した遮断部を有し、前記正極塗工領域は、前記遮断部と対向せず、かつ前記遮断部よりも前記正極第２縁部側に前記負極塗工領域と対向する正極有効領域を有することを要旨とする。
【０００７】
これによれば、正極塗工領域を正極タブの一部まで設け、負極第１縁部が正極境界と正極第１縁部との間に位置することで、正電極シートにおいて、負極塗工領域と対向する正極用金属箔（未塗工領域）を無くすことができる。このため、負極塗工領域と正極用金属箔との短絡が生じることを防止できる。また、セパレータを介して負極塗工領域が正極用金属箔に対向する場合、その対向部位に保護テープ等を貼着して、正極用金属箔と負極塗工領域との短絡を防止していたが、その必要が無くなる。その結果として、保護テープ等の貼着作業を無くして電極組立体の製造を簡単にすることができ、さらに、保護テープ等の厚み分だけ電極組立体が積層方向に長大化することも防止できる。
【０００８】
また、はみ出し領域は、負極第１縁部よりもはみ出しているため、はみ出し領域は負極塗工領域に対向していないが、はみ出し領域にはセパレータの遮断部が対向している。このため、遮断部により、イオンがはみ出し領域から負極第１縁部に向けて移動することが抑制され、負電極シートの周りでイオンが析出することを抑制することができる。
【０００９】
また、前記セパレータは、前記はみ出し領域と対向する部位が前記孔部の全部を遮断した遮断部であるのが好ましい。
これによれば、イオンがはみ出し領域から直接、負極第１縁部に向けて移動することをより効果的に抑制できる。
【００１０】
また、前記正極有効領域は、前記負極塗工領域より小さいのが好ましい。
これによれば、正極有効領域と負極塗工領域とを確実に対向させてエネルギ密度の向上を図ることができる。
【００１１】
また、前記遮断部は、前記正極タブを除いた前記正極第１縁部、前記正極第２縁部、及び前記正極第１縁部と前記正極第２縁部の両端を繋ぐ一対の正極第３縁部を囲む位置にも設けられていてもよい。
【００１２】
これによれば、正極活物質と負極活物質の対向しない領域の全てでイオンの析出を抑制することができる。
また、前記蓄電装置は二次電池である。
【発明の効果】
【００１３】
本発明によれば、正極用金属箔と負極塗工領域の短絡を簡単に防止しつつ、電極組立体が積層方向に長大化することを防止することができる。
【図面の簡単な説明】
【００１４】
【図１】二次電池を模式的に示す斜視図。
【図２】電極組立体の構成要素を示す斜視図。
【図３】（ａ）は、正電極シートを正面図、（ｂ）は、負電極シートを示す正面図。
【図４】電極組立体を示す正面図。
【図５】（ａ）は電極組立体を示す図４の５ａ−５ａ線断面図、（ｂ）は電極組立体を示す図４の５ｂ−５ｂ線断面図。
【図６】背景技術を示す図。
【発明を実施するための形態】
【００１５】
以下、蓄電装置を二次電池に具体化した一実施形態を図１〜図５にしたがって説明する。
図１に示すように、蓄電装置としての二次電池１０において、ケース１１には電極組立体１４が収容されている。ケース１１は、直方体状の本体部材１２と、矩形平板状の蓋部材１３とを有する。本体部材１２は、その内側に収容部Ｓを有するとともに、収容部Ｓと連通する挿入口１２ａが開口している。蓋部材１３は、挿入口１２ａを閉塞する。ケース１１を構成する本体部材１２と蓋部材１３は、何れも金属製（例えば、ステンレスやアルミニウム）である。また、本実施形態の二次電池１０は、その外観が角型をなす角型電池である。また、本実施形態の二次電池１０は、リチウムイオン電池である。
【００１６】
電極組立体１４には、当該電極組立体１４から電気を取り出すための正極端子１５と負極端子１６が電気的に接続されている。そして、正極端子１５及び負極端子１６は、蓋部材１３を貫通してケース１１外に突出するとともに、正極端子１５及び負極端子１６には、ケース１１から絶縁するためのリング状の絶縁リング１３ｂがそれぞれ取り付けられている。
【００１７】
図２に示すように、電極組立体１４は、複数の正電極シート２１と、複数の負電極シート３１とが、電気伝導に係るイオン（リチウムイオン）が通過可能なセパレータ１９を介して交互に積層されて構成されている。
【００１８】
図３（ａ）及び図３（ｂ）に示すように、正電極シート２１及び負電極シート３１は、矩形シート状であり、正電極シート２１及び負電極シート３１の長辺の延びる方向を長手方向とし、その長辺方向に直交し、かつ短辺の延びる方向を短手方向とする。正電極シート２１は、矩形シート状の正極用金属箔２２を備え、負電極シート３１は、矩形シート状の負極用金属箔３２を備えている。正極用金属箔２２及び負極用金属箔３２は、例えばリチウムイオン二次電池や、ニッケル水素二次電池というように、二次電池１０の種類に応じた金属により形成される。また、正極用金属箔２２と、負極用金属箔３２とは、異なる種類の金属が用いられる。本実施形態において、正極用金属箔２２はアルミニウム箔製であり、負極用金属箔３２は銅製である。
【００１９】
図３（ａ）に示すように、正電極シート２１において、正極用金属箔２２の長手方向に延びる一方の縁部を正極第１縁部２１ａとし、正極第１縁部２１ａの対辺である他方の縁部を正極第２縁部２１ｂとする。また、正電極シート２１において、正極第１縁部２１ａと、正極第２縁部２１ｂを繋ぐ縁部であり、正極用金属箔２２の短手方向に延びる一対の縁部をそれぞれ正極第３縁部２１ｃとする。
【００２０】
正電極シート２１は、正極第１縁部２１ａから突出する台形状の正極タブ２４を備える。なお、正極タブ２４が正極第１縁部２１ａから突出する方向を、正極タブ２４の突出方向とする。また、正極タブ２４において、突出方向の先端を先端部２４ａとする。正電極シート２１は、正極用金属箔２２の両表面に正極活物質の設けられた正極塗工領域２６ａを備える。正極塗工領域２６ａは、正極タブ２４を除いた正極第１縁部２１ａ及び正極第２縁部２１ｂ、対向する正極第３縁部２１ｃの４辺を含んで、正極用金属箔２２の長手方向の全体及び短手方向の全体に亘って設けられている。さらに、正極塗工領域２６ａは、正極タブ２４においても、正極第１縁部２１ａ側の一部に設けられており、正極活物質は、正極第１縁部２１ａを超えて正極タブ２４の突出方向の途中まで設けられている。
【００２１】
正極タブ２４の両表面において、正極活物質の設けられていない領域は、正極未塗工領域２６ｂとなり、正極用金属箔２２が剥き出しとなっている。そして、正電極シート２１は、正極タブ２４の両表面に、正極塗工領域２６ａと正極未塗工領域２６ｂとの境界である正極境界２６ｃを有し、正極境界２６ｃは、正極第１縁部２１ａと正極タブ２４における先端部２４ａとの間に位置している。また、正極第１縁部２１ａ及び正極第２縁部２１ｂと、正極境界２６ｃとは、平行である。
【００２２】
図３（ｂ）に示すように、負電極シート３１において、負極用金属箔３２の長手方向に延びる一方の縁部を負極第１縁部３１ａとし、負極第１縁部３１ａの対辺である他方の縁部を負極第２縁部３１ｂとする。また、負電極シート３１において、負極第１縁部３１ａと、負極第２縁部３１ｂを繋ぐ縁部であり、負極用金属箔３２の短手方向に延びる一対の縁部をそれぞれ負極第３縁部３１ｃとする。負電極シート３１は、負極第１縁部３１ａから突出する台形状の負極タブ３４を備える。
【００２３】
負電極シート３１は、負極用金属箔３２の両表面に負極活物質の設けられた負極塗工領域３６ａを備える。負極塗工領域３６ａは、負極タブ３４を除いた負極第１縁部３１ａ及び負極第２縁部３１ｂ、負極第３縁部３１ｃの４辺を含んで、負極用金属箔３２の長手方向の全体及び短手方向の全体に亘って設けられている。なお、負極タブ３４には負極活物質は設けられておらず、負極タブ３４の両表面は負極未塗工領域３６ｂとなる。
【００２４】
図４に示すように、正電極シート２１において、正極第２縁部２１ｂから正極第１縁部２１ａまでの（短手方向に沿った）長さをＬ１ａとするとともに、正極第３縁部２１ｃ間の（長手方向に沿った）長さをＬ１ｂとする。さらに、正電極シート２１において、正極第２縁部２１ｂから正極境界２６ｃまでの長さをＬ１ｃとする。また、負電極シート３１において、負極第２縁部３１ｂから負極第１縁部３１ａまでの（短手方向に沿った）長さをＬ２ａとするとともに、負極第３縁部３１ｃ間の（長手方向に沿った）長さをＬ２ｂとする。
【００２５】
正電極シート２１の短手方向への長さＬ１ａは、負電極シート３１の短手方向への長さＬ２ａより短く、正電極シート２１の長手方向への長さＬ１ｂは、負電極シート３１の長手方向への長さＬ２ｂより短い。したがって、正電極シート２１は、正極タブ２４を除いた領域の大きさが、負電極シート３１における負極タブ３４を除いた領域の大きさよりも小さい。
【００２６】
図２に示すように、セパレータ１９は、絶縁性を有する樹脂材料製であり、極めて微細な孔部を複数有する空孔構造である。セパレータ１９は、対向する２枚のセパレータ１９の縁部同士を熱溶着により接合した袋状である。セパレータ１９において、長辺の延びる方向を長手方向とし、長辺方向に直交し、かつ短辺の延びる方向を短手方向とする。セパレータ１９は、長手方向に延びる両縁部のうち、一方の第１縁部１９ａ同士が、正極タブ２４と対向する部位を除いて熱溶着により接合され、セパレータ１９の第１縁部１９ａ側に第１接合部２０ａを備える。また、セパレータ１９において、第１縁部１９ａの対辺である他方の縁部の第２縁部１９ｂ同士は、その長手方向全体が熱溶着により接合され、セパレータ１９は第２縁部１９ｂ側に第２接合部２０ｂを備える。また、セパレータ１９は、短手方向に延びる第３縁部１９ｃ同士が熱溶着により接合され、両第３縁部１９ｃ側に第３接合部２０ｃを備える。
【００２７】
図４に示すように、セパレータ１９において、第２縁部１９ｂから第１縁部１９ａまでの（短手方向に沿った）長さをＬ３ａとするとともに、第３縁部１９ｃ間の（長手方向に沿った）長さをＬ３ｂとする。セパレータ１９における短手方向への長さＬ３ａは、正電極シート２１及び負電極シート３１の短手方向への長さＬ１ａ，Ｌ２ａよりも長く、セパレータ１９における長手方向への長さＬ３ｂは、正電極シート２１及び負電極シート３１の長手方向への長さＬ１ｂ，Ｌ２ｂより長い。したがって、正電極シート２１及び負電極シート３１は、正面視においてセパレータ１９よりも小さい。
【００２８】
正電極シート２１は、セパレータ１９に収容されている。正電極シート２１は、正極第１縁部２１ａ、正極第２縁部２１ｂ、及び正極第３縁部２１ｃが、セパレータ１９の第１〜第３接合部２０ａ〜２０ｃに囲まれた状態でセパレータ１９に収容されている。正電極シート２１の正極タブ２４は、対向するセパレータ１９の第１縁部１９ａ同士の間を通過してセパレータ１９の外に突出している。
【００２９】
図２に示すように、電極組立体１４は、正電極シート２１を収容したセパレータ１９、及び負電極シート３１を、それぞれ厚さ方向に交互に積層して構成されている。正電極シート２１及び負電極シート３１は、正極タブ２４が積層方向に沿って列状に配置され、且つ正極タブ２４と重ならない位置にて負極タブ３４が積層方向に沿って列状に配置されるように積層されている。そして、各正極タブ２４は、電極組立体１４における積層方向の一端から他端までの範囲内で集められている。各正極タブ２４が重なっている箇所を溶接することによって各正極タブ２４が電気的に接続されるとともに、正極タブ２４に正極端子１５が接続されている。各負極タブ３４が重なっている箇所を溶接することによって各負極タブ３４が電気的に接続されるとともに、負極タブ３４に負極端子１６が接続されている。
【００３０】
図５（ａ）に示すように、電極組立体１４において、正電極シート２１を収容したセパレータ１９は、絶縁部材３０を介して長手方向両縁の第３縁部１９ｃが本体部材１２の側面に当接するとともに、短手方向他方の第２縁部１９ｂが本体部材１２の底面に支持され、本体部材１２内での移動が規制されている。また、負電極シート３１は、長手方向両縁の負極第３縁部３１ｃが本体部材１２の側面に当接するとともに、短手方向他方の負極第２縁部３１ｂが本体部材１２の底面に支持され、本体部材１２内での移動が規制されている。また、正電極シート２１は、セパレータ１９に収容されるとともに、第１〜第３接合部２０ａ〜２０ｃで四方から囲まれることで、面に沿う全方向への移動が規制されている。
【００３１】
図４に示すように、正電極シート２１と負電極シート３１との積層方向から見て、正電極シート２１における長手方向の両正極第３縁部２１ｃは、負電極シート３１における長手方向の両負極第３縁部３１ｃよりも内側に配置されている。正電極シート２１における短手方向一方の正極第１縁部２１ａは、負電極シート３１における短手方向一方の負極第１縁部３１ａよりも内側に配置されている。さらに、正電極シート２１における短手方向他方の正極第２縁部２１ｂは、負電極シート３１における短手方向他方の負極第２縁部３１ｂよりも内側に配置されている。したがって、電極組立体１４の積層方向において、正極タブ２４での一部を除いて正極塗工領域２６ａが負極塗工領域３６ａに対向している。
【００３２】
電極組立体１４の積層方向において、正極タブ２４に設けられた正極塗工領域２６ａのうち、正極タブ２４の先端部２４ａ側の一部は、負電極シート３１の負極第１縁部３１ａよりも正極タブ２４の突出方向にはみ出している。換言すれば、負極第１縁部３１ａが正極境界２６ｃと正極第１縁部２１ａとの間に位置している。正極タブ２４の正極塗工領域２６ａにおいて、負極第１縁部３１ａの対向部からはみ出した部位を、はみ出し領域Ｒとする。
【００３３】
電極組立体１４の積層方向において、はみ出し領域Ｒを除く正極塗工領域２６ａは、全てセパレータ１９を介して負極塗工領域３６ａに対向しており、正極塗工領域２６ａのうち、負極塗工領域３６ａと対向する部位は、セパレータ１９の孔部を介してイオンの授受が可能な正極有効領域Ｔとなっている。よって、正極塗工領域２６ａは、はみ出し領域Ｒと、正極有効領域Ｔとから構成されている。
【００３４】
また、セパレータ１９において、長手方向に沿った第１接合部２０ａの延長線上にあり、正極タブ２４と対向する部位は遮断部ＳＤとなっている。遮断部ＳＤは、第１接合部２０ａのように接合されておらず、熱によりセパレータ１９の樹脂材料を溶融させて形成されている。このため、遮断部ＳＤでは空孔構造が崩壊して全部の孔部が遮断されている。遮断部ＳＤは、第１接合部２０ａを形成する際に、セパレータ１９において遮断部ＳＤとなる位置を加熱して形成されている。遮断部ＳＤは、正極タブ２４の突出方向において、負極第１縁部３１ａよりも先端部２４ａ側に設けられ、正極塗工領域２６ａのはみ出し領域Ｒ、及び正極未塗工領域２６ｂの一部に対向している。
【００３５】
次に、二次電池１０の作用を記載する。
二次電池１０において、正電極シート２１は、正極用金属箔２２の両表面のうち正極タブ２４を除く全面だけでなく、正極タブ２４における正極第１縁部２１ａ側の一部にも正極塗工領域２６ａを備える。このため、剥き出しとなった正極用金属箔２２が負極塗工領域３６ａに対向することがない。よって、電極組立体１４が積層方向に加圧されても、負極塗工領域３６ａと、正極用金属箔２２が短絡することがない。
【００３６】
また、正極塗工領域２６ａは、正極タブ２４における正極第１縁部２１ａ側の一部まで設けられており、前述の短絡を確実に防止するため、正極塗工領域２６ａの一部は負極第１縁部３１ａを超えて設けられる。このはみ出し領域Ｒに対しては、セパレータ１９の遮断部ＳＤが対向している。このため、正極タブ２４に正極塗工領域２６ａが設けられ、そのはみ出し領域Ｒに負極塗工領域３６ａが対向していなくても、遮断部ＳＤにより、はみ出し領域Ｒと負極塗工領域３６ａとの間における電流（イオンの通過）が遮断される（所謂シャットダウン機能）。
【００３７】
上記実施形態によれば、以下のような効果を得ることができる。
（１）正電極シート２１において、正極未塗工領域２６ｂを、正極タブ２４の先端部２４ａ側のみとし、正極塗工領域２６ａを正極タブ２４の一部まで設け、負極第１縁部３１ａが正極境界２６ｃと正極第１縁部２１ａとの間に位置するようにした。このため、電極組立体１４において、負電極シート３１の負極塗工領域３６ａに対して正極未塗工領域２６ｂが対向することがない。よって、電極組立体１４に対し、積層方向に加重が加わっても、負極塗工領域３６ａと、正極用金属箔２２が短絡することがない。
【００３８】
（２）負極塗工領域３６ａに対向する正極用金属箔２２が存在しないため、負極塗工領域３６ａに対向する正極用金属箔２２に保護テープ等を貼着して、正極用金属箔２２と負極塗工領域３６ａとの短絡を防止する必要が無くなる。その結果として、保護テープ等の貼着作業を無くして電極組立体１４の製造を簡単にすることができ、さらに、保護テープ等の厚み分だけ電極組立体１４が積層方向に長大化することも防止できる。
【００３９】
（３）正極タブ２４の正極塗工領域２６ａには、負電極シート３１の負極第１縁部３１ａからのはみ出し領域Ｒが存在する。このはみ出し領域Ｒには、セパレータ１９の遮断部ＳＤが対向している。このため、はみ出し領域Ｒから直接、負極第１縁部３１ａに向けてリチウムイオンが移動することが抑制され、飛び出たリチウムイオンが負電極シート３１の周りに析出してしまうことを抑制することができる。
【００４０】
（４）セパレータ１９の遮断部ＳＤは、第１〜第３縁部１９ａ〜１９ｃを熱溶着してセパレータ１９を袋状にするときに、正極タブ２４と対向する部位を加熱することで形成することができる。よって、電極組立体１４を形成する中で、はみ出し領域Ｒに遮断部ＳＤを対向させることができる。また、遮断部ＳＤは、はみ出し領域Ｒと対向する部位が孔部の全部を遮断して形成されている。このため、はみ出し領域Ｒから直接、負極第１縁部３１ａに向けてリチウムイオンが移動することが効果的に抑制される。
【００４１】
（５）正電極シート２１において、従来では正極未塗工領域となっていた（正極用金属箔２２が剥き出していた）部位も正極塗工領域２６ａとしたため、二次電池１０の容量を増加させることができるとともに、電気的な抵抗を下げることができる。
【００４２】
（６）正電極シート２１の正極有効領域Ｔは、負極塗工領域３６ａより小さい。このため、セパレータ１９によって正電極シート２１を所定位置に位置決めすることで、正極有効領域Ｔの全面を負極塗工領域３６ａに対向させることができる。よって、正極有効領域Ｔと負極塗工領域３６ａがセパレータ１９を介して確実に対向し、二次電池１０におけるエネルギ密度の向上を図ることができる。
【００４３】
（７）セパレータ１９には、第１〜第３縁部１９ａ〜１９ｃの４辺に亘って第１〜第３接合部２０ａ〜２０ｃが形成され、第１〜第３接合部２０ａ〜２０ｃは全て熱溶着によって形成されている。このため、第１〜第３接合部２０ａ〜２０ｃも遮断部として機能する。したがって、第１〜第３接合部２０ａ〜２０ｃにより、正極塗工領域２６ａと負極塗工領域３６ａの対向しない領域でリチウムイオンの析出を抑制することができる。
【００４４】
なお、上記実施形態は以下のように変更してもよい。
○  セパレータ１９は袋状ではなく、シート状であってもよい。
○  遮断部ＳＤは、孔部の一部だけが塞がれていたもよい。
【００４５】
○  セパレータ１９において、第１〜第３接合部２０ａ〜２０ｃの少なくとも一つは無くてもよい。例えば、第１接合部２０ａは無く、セパレータ１９は、第１縁部１９ａ側全体が開放された袋状てもよい。
【００４６】
○  負電極シート３１は、正面視でセパレータ１９より小さくしたが、セパレータ１９と同じ大きさでもよいし、セパレータ１９より大きくてもよい。
○  正極有効領域Ｔの全てが負極塗工領域３６ａに対向していれば、負電極シート３１の大きさは適宜変更してもよい。
【００４７】
○  正電極シート２１において、正極塗工領域２６ａは正極用金属箔２２の片面だけに設けられていてもよく、負電極シート３１において、負極塗工領域３６ａは負極用金属箔３２の片面だけに設けられていてもよい。
【００４８】
○  負電極シート３１において、負極塗工領域３６ａは正極有効領域Ｔに対向していれば、負極タブ３４を除いた負極用金属箔３２の表面全面に設けられていなくてもよい。
○  電極組立体１４において、正極塗工領域２６ａにおいて負極塗工領域３６ａに対向していない部位があってもよい。この場合は、負極塗工領域３６ａと対向する正極有効領域Ｔ以外は、遮断部ＳＤを対向させる。
【００４９】
○  正極タブ２４は、正極用金属箔２２の正極第１縁部２１ａから延出された三角形状に形成してもよい。負極タブ３４についても同様に変更できる。この場合、当該三角形状をなす正極タブ２４、及び負極タブ３４の頂点が先端部となる。
【００５０】
○  電極組立体１４は、セパレータ１９を間に挟んだ状態で正電極シート２１及び負電極シート３１を蛇腹状に折り曲げて積層してもよい。
○  電極組立体１４を構成する正電極シート２１、及び負電極シート３１の数は適宜変更してもよい。例えば、正電極シート２１、及び負電極シート３１をそれぞれ１つ備えた電極組立体１４としてもよい。
【００５１】
○  ケース１１の形状は、円柱状や、楕円柱状に形成してもよい。
○  蓄電装置は、電気二重層キャパシタとして具体化してもよい。
次に、上記実施形態及び別例から把握できる技術的思想について以下に追記する。
【００５２】
（イ）前記セパレータは袋状である蓄電装置。
（ロ）前記正電極シートは、前記セパレータによって位置決めされている蓄電装置。
【符号の説明】
【００５３】
Ｒ…はみ出し領域、Ｔ…正極有効領域、ＳＤ…遮断部、１０…蓄電装置としての二次電池、１４…電極組立体、１９…セパレータ、２１…正電極シート、２１ａ…正極第１縁部、２１ｂ…正極第２縁部、２１ｃ…正極第３縁部、２２…正極用金属箔、２４…正極タブ、２４ａ…先端部、２６ａ…正極塗工領域、２６ｂ…正極未塗工領域、２６ｃ…正極境界、３１…負電極シート、３１ａ…負極第１縁部、３１ｂ…負極第２縁部、３２…負極用金属箔、３４…負極タブ、３６ａ…負極塗工領域。
【図１】
2014123454.tif 000003
【図２】
2014123454.tif 000004
【図３】
2014123454.tif 000005
【図４】
2014123454.tif 000006
【図５】
2014123454.tif 000007
【図６】
2014123454.tif 000008